(57)【要約】  担体、生理活性物質、及びタンパク質を含む複合体であって、担体は生理活性物質と結合しており、生理活性物質はタンパク質と親和性を持ち、その親和性によってタンパク質と結合しており、タンパク質は発光物質又は蛍光物質で標識されている複合体、並びにこの複合体を用いた薬剤のスクリーニング方法を提供する。このスクリーニング方法は、病気の原因となるタンパク質に作用するが、強い副作用を持つことから、医薬品として利用できない化合物を有効に利用して、薬剤の効率的な探索を可能にする。
2007125822.tif 000002
【特許請求の範囲】
【請求項１】
担体、生理活性物質、及びタンパク質を含む複合体であって、担体は生理活性物質と結合しており、生理活性物質はタンパク質と親和性を持ち、その親和性によってタンパク質と結合しており、タンパク質は発光物質又は蛍光物質で標識されている複合体。
【請求項２】
担体が、有機ポリマーの被膜を有するフェライト粒子である、請求項１に記載の複合体。
【請求項３】
担体が消光性を有する、請求項１又は２に記載の複合体。
【請求項４】
担体が、クエンチャー物質と結合した粒子である、請求項３に記載の複合体。
【請求項５】
タンパク質が生理活性物質のレセプター又は生理活性物質を基質とする酵素であり、生理活性物質が疾病用の薬剤である、請求項１乃至４のいずれか一項に記載の複合体。
【請求項６】
発光物質が、発光能を有するタンパク質又は化学発光を触媒するタンパク質である、請求項１乃至５のいずれか一項に記載の複合体。
【請求項７】
蛍光物質が、蛍光能を有する低分子有機化合物、又は蛍光能を有するタンパク質である、請求項１乃至５のいずれか一項に記載の複合体。
【請求項８】
請求項１乃至７のいずれか一項に記載の複合体を使用することを特徴とする薬剤のスクリーニング方法。
【請求項９】
被検化合物と請求項１乃至７のいずれか一項に記載の複合体とを溶媒中で共存させる工程、この溶媒から前記複合体を分離する工程、さらに、溶媒の発光強度又は蛍光強度を測定する工程を有する、請求項８に記載の薬剤のスクリーニング方法。
【請求項１０】
少なくとも、発光物質又は蛍光物質で標識されているタンパク質と、前記タンパク質と親和性を持つ生理活性物質と結合した担体と、被検化合物とを溶媒中に共存させる工程、この溶媒から担体を分離する工程、さらに、溶媒の発光強度又は蛍光強度を測定する工程を有する薬剤のスクリーニング方法。
【請求項１１】
少なくとも、発光物質又は蛍光物質で標識されているタンパク質と、前記タンパク質と親和性を持つ生理活性物質と結合し且つ消光性を有する担体と、被検化合物とを溶媒中に共存させる工程、さらに、溶媒の発光強度又は蛍光強度を測定する工程を有する薬剤のスクリーニング方法。
【請求項１２】
担体が、有機ポリマーの被膜を有するフェライト粒子である、請求項１０又は１１に記載の薬剤のスクリーニング方法。
【請求項１３】
担体が、クエンチャー物質と結合した粒子である、請求項１２に記載の薬剤のスクリーニング方法。
【請求項１４】
タンパク質が生理活性物質のレセプター又は生理活性物質を基質とする酵素であり、生理活性物質が疾病用の薬剤である、請求項１０乃至１３のいずれか一項に記載の薬剤のスクリーニング方法。
【請求項１５】
発光物質が、発光能を有するタンパク質又は化学発光を触媒するタンパク質である、請求項１０乃至１４のいずれか一項に記載の薬剤のスクリーニング方法。
【請求項１６】
蛍光物質が、蛍光能を有する低分子有機化合物、又は蛍光能を有するタンパク質である、請求項１０乃至１４のいずれか一項に記載の薬剤のスクリーニング方法。
【発明の詳細な説明】
【技術分野】
【０００１】
本発明は、生理活性物質のスクリーニングに有効な複合体、およびそれを用いた薬剤スクリーニング方法に関する。
【背景技術】
【０００２】
製薬会社を中心に行われている従来の薬剤探索方法は、標的とする酵素の活性の測定あるいは標的レセプターとの結合定数の測定、さらには様々な生細胞系での応答反応による生化学的な指標による評価で行われている。そのため、中には詳細な作用機構がわからないことにより、強い副作用、毒性がみられるなどの問題が起きている。また、病気の原因となるタンパク質に作用しつつも強い副作用により開発途中でドロップアウトし、臨床に進めない化合物が数多存在する。すなわち、標的酵素・レセプタータンパク質等に対する薬剤の効率的な探索方法が望まれている。【０００３】
ところで、本発明者らは、フェライトナノ微粒子を有機ポリマーで被覆した磁性ビーズを開発している（特許文献１）。この磁性ビーズは、磁気力によって分離、回収が可能なので、タンパク質などの高速、自動スクリーニングを可能にするものとして期待されている。【０００４】
【特許文献１】特開2006-88131号公報
【発明の開示】
【発明が解決しようとする課題】
【０００５】
本発明は生理活性物質のスクリーニングに有効な複合体、およびそれを用いた薬剤のスクリーニング方法を提供するものである。本発明によれば、例えば、病気の原因となるタンパク質に作用するが、強い副作用を持つことから、医薬品として利用できない数多の化合物およびその化合物の誘導体を有効に利用し、薬剤の候補となる化合物を効率的に探索することが可能になる。本発明の複合体を用いてスクリーニングを行うことにより、新しい医薬等の効率的な開発が可能になる。
【課題を解決するための手段】
【０００６】
本発明者らは、上記課題を解決するため鋭意検討を重ねた。その結果、標的とするタンパク質を、そのタンパク質と結合する生理活性物質を介して担体と固定しておくと、そこに標的タンパク質と結合する別の生理活性物質が存在する場合には、標的タンパク質が担体から競合的に遊離することに着目し、標的タンパク質を発光能を有する物質（発光物質及び蛍光物質）等によって標識することにより、標的タンパク質の遊離（即ち、タンパク質と結合する別の生理活性物質の存在）を光学的に検出できることを見出し、この知見に基づき、本発明を完成するに至った。
即ち、本発明は、以下の（１）〜（１６）を提供するものである。【０００７】
（１）担体、生理活性物質、及びタンパク質を含む複合体であって、担体は生理活性物質と結合しており、生理活性物質はタンパク質と親和性を持ち、その親和性によってタンパク質と結合しており、タンパク質は発光物質又は蛍光物質で標識されている複合体。
（２）担体が、有機ポリマーの被膜を有するフェライト粒子である、（１）に記載の複合体。
（３）担体が消光性を有する、（１）又は（２）に記載の複合体。
（４）担体が、クエンチャー物質と結合した粒子である、（３）に記載の複合体。
（５）タンパク質が生理活性物質のレセプター又は生理活性物質を基質とする酵素であり、生理活性物質が疾病用の薬剤である、（１）乃至（４）のいずれかに記載の複合体。【０００８】
（６）発光物質が、発光能を有するタンパク質又は化学発光を触媒するタンパク質であるである、（１）乃至（５）のいずれかに記載の複合体。
（７）蛍光物質が、蛍光能を有する低分子有機化合物、又は蛍光能を有するタンパク質である、（１）乃至（５）のいずれかに記載の複合体。
（８）（１）乃至（７）のいずれかに記載の複合体を使用することを特徴とする薬剤のスクリーニング方法。
（９）被検化合物と（１）乃至（７）のいずれかに記載の複合体とを溶媒中で共存させる工程、この溶媒から前記複合体を分離する工程、さらに、溶媒の発光強度又は蛍光強度を測定する工程を有する、（８）に記載の薬剤のスクリーニング方法。【０００９】
（１０）少なくとも、発光物質又は蛍光物質で標識されているタンパク質と、前記タンパク質と親和性を持つ生理活性物質と結合した担体と、被検化合物とを溶媒中に共存させる工程、この溶媒から担体を分離する工程、さらに、溶媒の発光強度又は蛍光強度を測定する工程を有する薬剤のスクリーニング方法。
（１１）少なくとも、発光物質又は蛍光物質で標識されているタンパク質と、前記タンパク質と親和性を持つ生理活性物質と結合し且つ消光性を有する担体と、被検化合物とを溶媒中に共存させる工程、さらに、溶媒の発光強度又は蛍光強度を測定する工程を有する薬剤のスクリーニング方法。
（１２）担体が、有機ポリマーの被膜を有するフェライト粒子である、（１０）又は（１１）に記載の薬剤のスクリーニング方法。【００１０】
（１３）担体が、クエンチャー物質と結合した粒子である、（１２）に記載の薬剤のスクリーニング方法。
（１４）タンパク質が生理活性物質のレセプター又は生理活性物質を基質とする酵素であり、生理活性物質が疾病用の薬剤である、（１０）乃至（１３）のいずれかに記載の薬剤のスクリーニング方法。
（１５）発光物質が、発光能を有するタンパク質又は化学発光を触媒するタンパク質である、（１０）乃至（１４）のいずれかに記載の薬剤のスクリーニング方法。
（１６）蛍光物質が、蛍光能を有する低分子有機化合物、又は蛍光能を有するタンパク質である、（１０）乃至（１４）のいずれかに記載の薬剤のスクリーニング方法。
【発明の効果】
【００１１】
担体、生理活性物質、及びタンパク質を含む本発明の複合体を利用することにより、この複合体に使用されている生理活性物質とは異なる、前記タンパク質との親和性を有する生理活性物質を見つけ出すことができる。現在、病気の原因タンパク質と結合するが、副作用を持つことから医薬として利用できない生理活性物質が数多く存在する。このような生理活性物質を用いて、本発明のスクリーニング方法を実施することにより、標的タンパク質との結合性を維持しつつも改良された生理活性物質を効率的に取得することができる。
【図面の簡単な説明】
【００１２】
【図１】本発明の第一のスクリーニング方法を模式的に表した図。Ａは被検物質がタンパク質と結合する場合、Ｂは被検物質がタンパク質と結合しない場合をそれぞれ示す。
【図２】本発明の第二のスクリーニング方法を模式的に表した図。Ａは被検物質がタンパク質と結合する場合、Ｂは被検物質がタンパク質と結合しない場合をそれぞれ示す。
【図３】磁性を持つ担体を使用したスクリーニング方法の一例を示した図（１）。ａ：担体−生理活性物質−タンパク質複合体、ｂ：競合作用によるスクリーニングと競合阻害によるタンパク質の遊離。
【図４】磁性を持つ担体を使用したスクリーニング方法の一例を示した図（２）。ｃ：担体−生理活性物質−タンパク質複合体、ｄ：競合作用によるスクリーニングと競合阻害によるタンパク質の遊離、ｅ：被検化合物とタンパク質との結合を検出。
【図５】参考例２で行った実験の結果を示す図。
【図６】参考例３で行った実験の結果を示す図。
【図７】実施例１で行った実験の結果を示す図。＊はrHis-DHFR-AQを示し、＊＊はrHis-DHFR-AQ分解産物を示す。
【図８】実施例３で行った実験（タンパク質の検出）の結果を示す図。MTXはメトトレキセート、SRMはストレプトマイシン、PNCはペニシリンをそれぞれ表す。
【図９】実施例３で行った実験（発光強度測定）の結果を示す図。MTXはメトトレキセート、SRMはストレプトマイシン、PNCはペニシリンをそれぞれ表す。
【符号の説明】
【００１３】
１  消光性を持つ担体
２  生理活性物質
３  タンパク質
４  発光物質又は蛍光物質（白色は発光等している場合、黒色は発光等していない場合を示す。）
５  被検化合物
６  磁性を持つ担体（磁性ビーズ）
７  生理活性物質
８  タンパク質
９  イクオリン（白色は発光している場合、黒色は発光していない場合を示す。）
１０  ケミカルライブラリー又は菌培液ライブラリー（被検化合物）
１１  96ウェルプレート
１２  リング状磁石
１３  円筒
【発明を実施するための最良の形態】
【００１４】
以下、本発明を詳細に説明する。
本発明の複合体は、担体、生理活性物質、及びタンパク質を含むものであって、担体は生理活性物質と結合しており、生理活性物質はタンパク質と親和性を持ち、その親和性によってタンパク質と結合しており、タンパク質は発光物質又は蛍光物質で標識されているものである。
担体と生理活性物質間の結合の形態は特に限定されないが、本発明の複合体をスクリーニングに用いた際に、解離しないような比較的強固な結合であることが好ましい。【００１５】
生理活性物質とタンパク質間の結合は、両者の親和性によって結合できるものであれば特に限定されないが、本発明の複合体をスクリーニングに用いた際に、タンパク質と親和性を持つ別の生理活性物質が存在する場合には解離するような比較的弱い結合であることが好ましい。このような結合としては、受容体タンパク質とリガンド間の結合、酵素タンパク質とその基質間の結合などを例示できる。【００１６】
担体としては、通常、粒子状のものを使用するが、生理活性物質と結合し得るものであれば特に限定されず、例えば、基板のようなものを担体としてもよい。また、担体は溶媒中から容易に分離できる性質を持つもの、例えば、磁性を持つ担体などであることが好ましい。磁性を持つ担体としては、本発明者らによって開発された有機ポリマーの被膜を有するフェライト粒子を例示できる。有機ポリマーの被膜を有するフェライト粒子は、例えば、以下のようにして作製することができる。【００１７】
水溶液プロセスによって合成されるフェライト粒子表面を界面活性剤の二重膜によって被覆をおこなう。表面を界面活性剤ミセルによって覆うことによってフェライト粒子表面での疎水性高分子の導入を容易にすることが可能である。二重膜によって被覆されたフェライト粒子存在下、ビニルモノマーの乳化重合を行なうことでフェライト粒子表面の高分子による被覆を行なうことが可能である。【００１８】
有機ポリマーの被膜を有するフェライト粒子の粒径は特に限定されないが、5-300nmの範囲内であることが好ましい。被覆する有機ポリマーとしては、スチレンをベースとしたビニルモノマーとの共重合体、もしくはポリアクリル酸、ポリビニルアルコールなどの親水性高分子などが挙げられる。粒子表面に薬剤を固定化することが可能であればよいので、ほかにはPEG、デキストラン、リン脂質、核酸、タンパク質などを被覆材料として使用してもよい。【００１９】
担体として、消光性を持つ担体を使用してもよい。消光性を持つ担体を使用することにより、後述のように、遊離したタンパク質と複合体とを分離する工程を持たないスクリーニング方法（図１及び図２）を行うことができる。消光性を持つ担体としては、上述した有機ポリマーの被膜を有するフェライト粒子を例示できるが、クエンチャー物質が結合した粒子やクエンチャー物質そのものを使用してもよい。クエンチャー物質としては、Dabcyl、BHQ1、BHQ2、EclipseTM Dark Quencherなどを例示できる。なお、有機ポリマーの被膜を有するフェライト粒子にクエンチャー物質を結合させ、更に消光性を高めてもよい。【００２０】
タンパク質は特に限定されるものではないが、例えば、生理活性物質のレセプターや生理活性物質を基質とする酵素などである。これらは生理活性物質が疾病用の薬剤である場合に好ましく用いられる。本発明の複合体の用途が薬剤のスクリーニング方法である場合、タンパク質は病気の原因物質となっているタンパク質であることが好ましい。このようなタンパク質としては、例えば、酵素としてジヒドロ葉酸還元酵素（DHFR）、アミロイドタンパク質としてアミロイド（Aβ）、レセプターとしてパエル受容体（Pael Receptor）などを挙げることができる。【００２１】
使用する生理活性物質は特に限定されないが、本発明の複合体の用途が薬剤のスクリーニング方法である場合には、病気の原因となっているタンパク質と結合するが、副作用が強いため医薬として使用できない物質、例えば、サリドマイド、種々の抗がん剤、製薬会社でドロップアウトした薬などが好ましい。
標識に用いる蛍光物質は特に限定されず、FITC、TRITC、TAMRA、Cy3、Cy5などの蛍光能を有する低分子有機化合物、蛍光能を有する蛍光タンパク質である緑色蛍光タンパク質（GFP）などを使用することができる。【００２２】
標識に用いる発光物質も特に限定されず、発光生物由来のカルシウム結合型発光タンパク質、ルシフェラーゼなどの発光能を有するタンパク質を使用できる。さらに、アルカリフォスファターゼまたは西洋ワサビぺルオキシダーゼなどを利用した化学発光反応系を触媒するタンパク質も発光物質として使用できる。【００２３】
これらの発光及び蛍光物質の中では、感度が最も高く、毒性のないカルシウム結合型発光タンパク質のひとつであるイクオリンを使用するのが最も好ましい。イクオリンはカルシウム結合型発光タンパク質で、微量のカルシウムイオン（10-7mole/liter以上）と接触するだけで瞬間発光する。発光感度も市販の検出装置においての検出限界が0.1ピコグラム以下と非常に高いものである。【００２４】
本発明の複合体は、薬剤のスクリーニング方法に利用できる。具体的な方法は特に限定されないが、被検化合物と本発明の複合体とを溶媒中で共存させる工程、この溶媒から本発明の複合体を分離する工程、さらに、溶媒の発光強度又は蛍光強度を測定する工程を有する、方法を一例として挙げることができる（以下、このスクリーニング方法を「第一の方法」という場合がある。）。【００２５】
第一の方法において使用する溶媒は特に限定されず、例えば、適当な緩衝剤を含む水などを例示できる。共存させる時間も特に限定されないが、通常、１時間程度である。溶媒から本発明の複合体を分離する方法は特に限定されず、溶媒から担体を除去してもよく、溶媒中の特定の場所に担体を集めてもよい。担体が磁性を持つ場合は、例えば、後述するように、溶媒の入っているウェルの周囲に磁石を配置し、担体をウェルの周辺部分に移動させ、筒状の仕切りをウェルに入れる方法などを示すことができる。【００２６】
第一の方法と同様に被検化合物と生理活性物質との競合作用を利用した薬剤のスクリーニング方法として、少なくとも、発光物質又は蛍光物質で標識されているタンパク質と、前記タンパク質と親和性を持つ生理活性物質と結合した担体と、被検化合物とを溶媒中に共存させる工程、この溶媒から担体を分離する工程、さらに、溶媒の発光強度又は蛍光強度を測定する工程を有する方法を例示できる（以下、このスクリーニング方法を「第二の方法」という場合がある。）。【００２７】
第二の方法において、使用する担体、生理活性物質、タンパク質、蛍光物質、発光物質等は、第一の方法と同様のものでよい。
上記第一の方法及び第二方法によって、特定のタンパク質と相互作用をする生理活性物質を得ることができる。このような生理活性物質は、新規な薬剤の候補物質となり得る。
第一の方法であって、磁性を持つ担体を使用したスクリーニング方法の一例を図３及び図４を用いて説明する。【００２８】
磁性を持つ担体〔６〕、生理活性物質〔７〕、及び発光タンパク質イクオリン〔９〕で標識された標的とするタンパク質〔８〕を含む複合体を96ウェルプレート〔１１〕に分注する（図３Ａ）。ケミカルライブラリー又は菌培養ライブラリー〔１０〕（これらのライブラリーに含まれる物質が被検化合物になる。）をそれぞれウェルに加える（図３Ｂ）。96ウェルプレート〔１１〕を撹拌台の上に乗せ、30分〜1時間、競合阻害反応をさせる。ウェルの大きさに合ったリング状磁石〔１２〕プレートを96ウェルプレート〔１１〕の下に置く（図３Ｃ）。磁性を持つ担体〔６〕は、ウェルの外側に集まり、遊離したイクオリン標識タンパク質〔８〕は外側へは移動しない（図３Ｄ、図４Ｅ）。（簡易には、ここで遊離しているイクオリン標識タンパク質〔８〕の一部を分取し、CaCl2溶液を注入し、発光強度をプレートリーダーで測定することも可能である。）次に、競合阻害反応した96ウェルプレート〔１１〕へ、リング状磁石〔１２〕より直径が小さい円筒〔１３〕をはめる（図４Ｆ）。これにより磁性を持つ担体〔６〕と遊離した標的タンパク質〔８〕が分離できる。イクオリンの場合は円筒〔１３〕の中にCaCl2溶液を注入し、発光強度をプレートリーダーで測定する（図４Ｇ）。【００２９】
上記のように、リング状磁石〔１２〕を用いることにより、磁性を持つ担体〔６〕を外側に集めることができ、さらに円筒〔１３〕を挿入することにより担体〔６〕と遊離したタンパク質〔８〕とを分離することができる。このように担体〔６〕と遊離したタンパク質〔８〕を分離させることにより、遊離したタンパク質〔８〕のみCaCl2溶液と反応させ、担体〔６〕に付いているタンパク質〔８〕とCaCl2溶液を反応させないようにすることができる。つまり、競合阻害によって遊離したタンパク質〔８〕のみを測定対象することができる。このような方法により、スクリーニングを自動的に進めることができるようになる。
第二の方法であって、消光性を持つ担体を使用する方法の原理を図２を用いて説明する。【００３０】
消光性を持つ担体〔１〕には生理活性物質〔２〕が結合している。この担体〔１〕と発光物質又は蛍光物質〔４〕で標識されているタンパク質〔３〕と被検化合物〔５〕の三者を共存させると、被検化合物〔５〕がタンパク質〔３〕と結合する場合には、タンパク質〔３〕は生理活性物質〔２〕だけでなく、被検化合物〔５〕とも結合するため、担体〔１〕に固定される数は少なくなり、逆に遊離状態のタンパク質〔３〕は多くなる。このため、担体によって消光されない発光物質等（図中の白い星）が多くなり、溶媒中の発光強度等は強い状態で維持される。一方、被検化合物〔５〕がタンパク質〔３〕と結合しない場合には、タンパク質〔３〕は生理活性物質〔２〕にのみ結合するので、担体〔１〕に固定される数は多くなり、逆に遊離状態のタンパク質〔３〕は少なくなる。このため、担体によって消光される発光物質等（図中の黒い星）が多くなり、溶媒中の発光強度等は弱くなる。【００３１】
担体が消光性を持つ担体である複合体を使用する薬剤のスクリーニング方法の原理を図１を用いて説明する。
発光物質又は蛍光物質〔４〕で標識されたタンパク質〔３〕は、消光性を持つ担体〔１〕と生理活性物質〔２〕を介して固定されている。このタンパク質〔３〕が固定されている担体〔１〕を被検化合物〔５〕と共存させると、被検化合物〔５〕がタンパク質〔３〕と結合する場合には、競合作用により、タンパク質〔３〕は担体〔１〕から遊離する。発光物質又は蛍光物質〔４〕は、消光性を持つ担体〔１〕と近接しない場合には強く光るが（図中の白い星）、消光性を持つ担体〔１〕と近接すると光は弱くなる（図中の黒い星）。従って、タンパク質〔３〕が遊離することにより、強い光を放つ。一方、被検化合物〔５〕がタンパク質〔３〕と結合しない場合には、タンパク質〔３〕は担体〔１〕に固定されたままであり、発光物質又は蛍光物質〔４〕の光も弱いままである。
【実施例】
【００３２】
以下、実施例等により本発明を更に詳細に説明する。【００３３】
〔参考例１〕
特開2006-88131号公報の記載に従い、以下のように有機ポリマーの被膜を有するフェライト粒子を作製した。
水溶液中から析出させた平均粒径が４０ｎｍのフェライト粒子１５０ｍｇにウンデセン酸を飽和吸着させ、疎水化フェライト粒子を得た。
この疎水化フェライト粒子に、ＰＥＯ鎖を有する非イオン性界面活性剤Ｅｍｕｌｇｅｎ  １１５０Ｓ−７０（花王株式会社製）０．４ｇを溶解した水溶液を加えてソニケーションすることにより、この非イオン性界面活性剤を疎水化フェライト粒子の表面に吸着させて粒子を再親水化し水に分散させた再親水化フェライト粒子のコロイド溶液を得た。
次に、このコロイド溶液に、スチレン２．７ｇ、ＧＭＡ（グリシジルメタクリレート）０．３ｇ、ＤＶＢ（ジビニルベンゼン、架橋剤）０．０８ｇを有するモノマーミックスを添加し全量が１２５ｇになるように水を添加した後、２００ｒｐｍで攪拌を続けながら加熱し、２０〜３０分後に７０℃に達したところで水溶性開始剤Ｖ−５０（和光純薬工業（株）製）５０ｍｇを純水５ｍｌに溶かした水溶液を添加し、重合反応を１２時間行なった。
こうして得られた乳化重合粒子を洗浄して有機ポリマーの被膜を有するフェライト粒子（以下、「磁性ビーズ」という場合がある。）を得た。透過型電子顕微鏡を用い、得られたポリマー被覆フェライト粒子を観察した結果、粒子は平均粒径が２００ｎｍの単分散粒子であり、粒子内部にフェライト粒子を有していることがわかった。【００３４】
〔参考例２〕
（１）FITC固定化磁性ビーズの調製
10 mg/ml 磁性ビーズ懸濁液（溶媒：100 mM Hepes-NaOH pH7.0）、25 mM FITC溶液（溶媒：DMF）、及び100 mM Hepes-NaOH pH7.0を表１に示す組成になるように混合し、室温で２時間静置し、磁性ビーズにFITCを固定した。磁性ビーズは、参考例１で作製したものにジスルフィド結合を含むリンカーを付けている（磁性ビーズCH2-S-S-CH2-NH2 ）。
【表１】
2007125822.tif 000003
遠心分離によって上清を除去し、200μlの100 mM Hepes-NaOHを加えて磁性ビーズを再分散させた。この操作を８回繰り返し、磁性ビーズを洗浄した。
（２）FITC固定化磁性ビーズのジチオスレイトール（DTT）によるリンカー切除
FITC固定化磁性ビーズ懸濁液（0.4 mg/200μl）50μlと0.1M DTT溶液50μlを混合し、45分後に蛍光強度を測定した。蛍光強度の測定は、磁性ビーズ懸濁液（DTT＋）、懸濁液から磁性ビーズ除去後の溶液（磁気分離後（DTT＋））、及び0.1M DTT溶液を加えなかった磁性ビーズ懸濁液（DTT−）の３種類に対して行なった。結果を図５に示す。
図５に示すように、DTTにより磁性ビーズからFITCを遊離させることにより、蛍光強度が上昇し、また、液中から磁性ビーズを除去することにより、蛍光強度は更に上昇した。【００３５】
〔参考例３〕
（１）ダブシル修飾磁性ビーズの調製
50 mgのダブシル酸（Promega P4281）を1500μlのDMFに溶かし、66.7mg/mlのダブシル酸溶液を調製した。また、参考例２で作製したFITC固定化磁性ビーズを1000μlのDMFに懸濁させ、1000μlのFITC固定化磁性ビーズ懸濁液を調製した。この懸濁液とダブシル溶液及びDMFを混合し、表２に示す組成の磁性ビーズ懸濁液を調製した。
【表２】
2007125822.tif 000004
磁性ビーズの分散している溶媒をDMFから超純水へ置換し、最終的に500μlの0.1M Hepes-NaOH, pH 7で洗浄した後、100μlの0.1M Hepes-NaOH, pH 7に懸濁させ、ダブシル修飾FITC固定化磁性ビーズを得た。
（２）蛍光強度の測定
50μlのダブシル修飾FITC固定化磁性ビーズを、0.1M DTTを含む0.1M Hepes-NaOH, pH7（50μl）と混合し、15分又は30分反応させた後、FITCの蛍光強度を測定した。比較のため、DTTを含まないHepes-NaOH, pH7と混合した場合の蛍光強度も同様に測定した。この結果を図６に示す。図中の１、２、３、４、５で示されるバーは、それぞれダブシル修飾時のダブシル量が0 mg、0.01 mg、0.1 mg、1 mg、10 mgであった場合の蛍光強度比（DTT処理をした場合の蛍光強度／DTT処理をしなかった場合の蛍光強度）を示す。また、左側のバーがDTT処理時間が15分の場合、右側のバーがDTT処理時間が30分の場合を示す。
図６に示すように、DTTによってFITCが磁性ビーズから遊離することにより、蛍光強度は増大するが、その増大の割合は、ほぼ修飾したダブシルの量に依存して大きくなった。即ち、ダブシル修飾しなかった場合（図中のバー１）は、DTT処理をした場合の蛍光強度は、DTT処理をしなかった場合の蛍光強度の15倍程度であったが、10 mgのダブシルで処理した場合（図中のバー５）は30倍程度であった。【００３６】
〔実施例１〕
（１）組換えヒスチジンタグジヒドロ葉酸還元酵素アポイクオリン融合タンパク質（rHis-DHFR-apoAQ）の発現
rHis-DHFR-apoAQの発現ベクター（pColdII-DHFR-AQ）を組み込んだ大腸菌BL21(DE3)を37℃で２L培養した。吸光度600nm＝0.3の時点で培養温度を15℃に下げ、引き続き30分培養した。最終濃度0.1mMになるようにIPTGを加え、更に15℃で24時間培養を続け、rHis-DHFR-AQを発現させた。なお、この低温によって発現を誘導するシステムは宝酒造で市販されている。発現ベクターpColdIIに含まれる大腸菌コールドショック遺伝子cspAプロモーターにより発現する。cspAプロモーターの下流には発現を厳密に制御するためのlac operatorが挿入されている。【００３７】
（２）ヒスチジンタグによる精製
rHis-DHFR-apoAQを発現した大腸菌を遠心により回収し、PBSで洗浄した。大腸菌を50mlの溶解溶液（20mM Tris-HCl(pH 7.9)、300mM NaCl、10mM Imidazole、0.1% NP-40）に懸濁し、超音波により大腸菌及びゲノムを破壊した。遠心により不溶性画分を分離し、可溶性画分をニッケルアガロースゲル（Ni-NTA Agarose; QIAGEN）と混合した。4℃で1時間、回転させ、rHis-DHFR-apoAQをニッケルアガロースゲルに結合させた。結合反応後、カラム（Poly-=Prep Chromatography Columns 0.8×4cm, BIORAD）に移し濾過した。カラムに前述した溶解溶液10ml、次いで、洗浄溶液１（20mM Tris-HCl(pH 7.9)、300mM NaCl、20mM Imidazole、0.1% NP-40）10ml、更に洗浄溶液２（20mM Tris-HCl(pH 7.9)、300mM NaCl、20mM Imidazole）10mlを添加し、ニッケルアガロースゲルを洗浄した。その後、カラムに溶出溶液（20mM Tris-HCl(pH 7.9)、300mM NaCl、100mM Imidazole）5mlを添加しニッケルアガロースゲルからrHis-DHFR-apoAQを溶出させた。溶出フラクションを500μlずつ分注して回収した。rHis-DHFR-apoAQは二本目のフラクションで回収できた。【００３８】
（３）rHis-DHFR-apoAQからイクオリン（AQ）への再生
ニッケルカラムにより精製されたrHis-DHFR-apoAQを活性のあるイクオリン（AQ）に再生させるため、以下の処理を行なった。
再生反応液（500μl rHis-DHFR-apoAQ、10μl 0.5M EDTA、2μl 2-メルカプトエタノール、40μg セレントラジン、4.5ml TE(10mM Tris-HCl(pH7.9), 10mM EDTA)）を15mlチューブに入れ、４℃で３時間回転させた。30分ごとに反応チューブの蓋を開けて酸素を供給した。セレントラジンは市販のものではなく、井上の方法（ Inoue, S., Sugiura, S., Kakoi, H., Hasizume, K., Goto, T., and Iio, H. (1975) Chem Lett. 141-144）に従って合成したものを使用した。４℃で３時間回転させた後、一晩４℃で静置した。【００３９】
（４）rHis-DHFR-AQのイオン交換カラムによる精製
再生反応後、未反応のセレントラジンとrHis-DHFR-AQの分解物を除去するため以下の処理を行った。反応は全て４℃で行った。
陽イオンカラムのQ Sepharose Fast Flow (Pharmacia Biotech)2mlをカラム（Poly-Prep Chromatography Columns 0.8×4cm, BIORAD）に充填した。20ml TE(10mM Tris-HCl(pH7.9), 10mM EDTA)を添加し、カラムを洗浄、平衡化した。再生反応溶液を静かにゆっくりとカラムに添加した。10ml TE(10mM Tris-HCl(pH7.9), 10mM EDTA)、10ml 洗浄TE１(10mM Tris-HCl(pH7.9), 10mM EDTA, 50mM NaCl)、10ml 洗浄TE２(10mM Tris-HCl(pH7.9), 10mM EDTA, 100mM NaCl)をそれぞれ静かにゆっくりと添加し、カラムを洗浄した。10ml 溶出TE(10mM Tris-HCl(pH7.9), 10mM EDTA, 400mM NaCl)を静かにゆっくりと添加し、rHis-DHFR-AQを溶出した。溶出フラクションを500μlずつ分注して回収した。この溶出フラクション及び洗浄時に回収されたフラクション中に含まれるタンパク質をSDS-PAGEで分離し、クマシーブリリアントブルーによって染色した。この結果を図７に示す。
図７に示すように、rHis-DHFR-AQは4-5本目のフラクションで回収できた。精製されたrHis-DHFR-AQは1.5mlエッペンチューブに100μlずつ分注し、-80℃で保存した。【００４０】
〔実施例２〕
（１）カルボキシル化磁性ビーズの作製
磁性ビーズ（10mg/tube）を500μlの水で２回洗浄し、次いで、水とDMFの混合液（水：DMF＝1:4）で１回洗浄し、更に、DMFで４回洗浄した後、300μlのDMFに懸濁した。この懸濁液に100μlのトリエチルアミンを添加し、更に600μlの500mM 無水コハク酸のDMF溶液を加え、室温で一晩インキュベートした。
インキュベートした後の磁性ビーズをDMFで一回洗浄した後、430μlのDMFに懸濁した。この懸濁液に50μlのトリエチルアミンと20μlの無水酢酸を添加を添加し、室温で２時間インキュベートした。水で１回洗浄した後、450μlの水に懸濁した。この懸濁液に50μlの1N NaOHを添加し、室温で30分インキュベートした後、磁性ビーズを水で5回洗浄し、水500μlに懸濁して保存した。【００４１】
（２）アミノ基誘導体MTX固定化ビーズ作製
カルボキシル化磁性ビーズ5mgを500μlのmilliQで１回洗浄した後、500μlのメタノールで１回洗浄した。洗浄した磁性ビーズを100μlのメタノールに分散させた後、500μlのジオキサンを添加した。
磁性ビーズをジオキサンで２回洗浄した後、800μlのジオキサンを添加し、更に、200μlの1M HOSu及び38.4mgのEDCを添加し、室温で２時間インキュベートした。
磁性ビーズを500μlのDMFで５回洗浄した後、100μlのDMFに懸濁し、50μl（各2.5mg）ずつ分注し、表３に示す組成のMTX含有磁性ビーズ懸濁液を調製し、室温で70分静置した。
【表３】
2007125822.tif 000005
懸濁液を遠心分離によって上清を除去した後、1M エタノールアミンDMF溶液を添加し、室温で2時間静置した。再度、上清を遠心分離によって除去し、磁性ビーズを回収した。磁性ビーズを50％メタノール水溶液で３回洗浄した後、50％メタノール水溶液で保存した。【００４２】
〔実施例３〕
（１）MTX固定化磁性ビーズとrHis-DHFR-AQ融合タンパク質の結合
実施例２で製造したMTX固定化ビーズ（50%メタノール保存）0.2 mgを500μlのBinding Buffer（10mM HEPES, 150mM KCl, 5mM EDTA, 10%Glycerol, 0.1%NP40）で３回洗浄した後、rHis-DHFR-AQ（100ng/100μl）と混合し、４℃で３時間反応させ、結合させた。
rHis-DHFR-AQを結合させたMTX固定化磁性ビーズを、500μlのBinding Bufferで３回洗浄した後、30μlの薬剤（100μM MTX、100μM ストレプトマイシン、又は100μM ペニシリン）と混合し、４℃で１時間反応させた。反応後の溶液の上清（Drug Elution）を採取、保存した。上清採取後の残渣に1×Dye 40μlを加え、98℃で５分間加熱し、上清（Boil Elution after Drug Elution）を採取、保存した。【００４３】
（２）上清中のタンパク質の検出
結合反応後の上清及び加熱後の上清中に含まれるタンパク質をSDS-PAGEで分離し、銀染色法により染色した。結果を図８に示す。なお、図中の（−）及び（＋＋＋）は、それぞれ前述したMTX固定液Ａ及びMTX固定液ＤによってMTXを固定した磁性ビーズを用いている。
図８に示すように、結合反応後の上清では、MTXと混合した場合にのみ、rHis-DHFR-AQを示すバンドが検出され、ストレプトマイシン（SRM）及びペニシリン（PNC）と混合した場合にはそのようなバンドは検出されなかった。
加熱後の上清では、いずれの薬剤と混合した場合にも、rHis-DHFR-AQを示すバンドが検出された。
これらの結果から、磁性ビーズと結合していたrHis-DHFR-AQは、MTXと混合した場合にのみ競合反応によって遊離し、他の薬剤と混合した場合には結合した状態のままであったと考えられる。【００４４】
（３）Drug Elutionの発光測定
市販のアッセイ用プレート（96 Well Assay Plates, MATRIX）のウェルを5mM EDTA で洗浄した後、9μlのBinding Bufferを加え、更に上清（Drug Elution）を1μl加え、ウェルの中を全量を10μlとした。プレートをプレートリーダー（WALLAC 1420 Multilabel Counter, PerkinElmer）にセットし、ウェルに500mM CaCl2（30mM HCl-Tris(pH7.9)）を50μl添加し、発光強度を測定した。この結果を図９に示す。なお、図中の（−）、（＋）、（＋＋）及び（＋＋＋）は、それぞれ前述したMTX固定液Ａ、MTX固定液Ｂ、MTX固定液Ｃ及びMTX固定液ＤによってMTXを固定した磁性ビーズを用いている。
図９に示すように、ストレプトマイシン（SRM）及びペニシリン（PNC）と混合した場合には、ほとんど発光しなかったのに対し、MTXと混合した場合には強い発光が確認された。MTXと混合した場合の強い発光は、消光性を持つ磁性ビーズからrHis-DHFR-AQが遊離したことによるものと考えられる。この結果は、上述した電気泳動の結果と一致する。【００４５】
本明細書は、本願の優先権の基礎である日本国特許出願（特願2006-125348号）の明細書および／または図面に記載されている内容を包含する。また、本発明で引用した全ての刊行物、特許および特許出願をそのまま参考として本明細書にとり入れるものとする。
【図５】
2007125822.tif 000006
【図６】
2007125822.tif 000007
【図９】
2007125822.tif 000008
【図１】
2007125822.tif 000009
【図２】
2007125822.tif 000010
【図３】
2007125822.tif 000011
【図４】
2007125822.tif 000012
【図７】
2007125822.tif 000013
【図８】
2007125822.tif 000014
【国際調査報告】
2007125822.tif 000015
2007125822.tif 000016
2007125822.tif 000017
2007125822.tif 000018